(57)【要約】【課題】ユーザ操作により生じる音に応じて制御を行う際に、ユーザの所望する命令に応じて正確に制御を行う。【解決手段】携帯型音楽再生装置３０は、右側マイク５６Ｒ及び左側マイク５６Ｌにより集音された音声信号をパルス信号に変換し、当該パルス信号に基づいてパルスの発生回数を計測し、当該パルス信号において一のパルスが発生してから所定期間である非検出期間ＮＴ内に発生したパルスは、当該発生回数の計測対象から除外されるようにし、当該パルス信号から計測したパルスの発生回数に基づいて所定の制御を行うようにした。これにより、パルス信号に基づいてユーザ操作の回数に応じたパルスの発生回数を計測することができ、この回数に応じて制御を行うことができるため、ユーザの所望するコマンドに応じて正確に制御を行うことができる。【選択図】図６
2010187218.tif 000002
【特許請求の範囲】
【請求項１】
マイクが集音した音声信号をパルス信号に変換する変換部と、
上記パルス信号に基づいて、パルスの発生回数を計測する計測部と、
上記パルス信号において一のパルスが発生してから所定期間内に発生したパルスは上記発生回数の計測対象から除外されるよう上記計測部を制御する計測制御部と、
上記発生回数に基づいて所定の制御を行う制御部と
を具える制御装置。
【請求項２】
上記制御部は、
他の所定期間内に計測した上記発生回数に基づいて所定の制御を行う
請求項１に記載の制御装置。
【請求項３】
上記計測部は、発生した上記パルスのパルス幅を計測し、
上記制御部は、上記発生回数と上記パルス幅に基づいて所定の制御を行う
請求項２に記載の制御装置。
【請求項４】
上記制御部は、
上記発生回数が所定回数以上となったときに、上記所定の制御を行うモードを起動する
請求項２に記載の制御装置。
【請求項５】
コンテンツデータを再生する再生部
を更に具え、
上記所定の制御は、上記再生部の再生制御である
請求項２に記載の制御装置。
【請求項６】
上記マイクが集音した音声信号に基づいて上記音声信号を低減するための低減信号を生成する生成部
を更に具える請求項５に記載の制御装置。
【請求項７】
ドライバと上記マイクとがそれぞれ設けられる二つの筐体からなるヘッドホン
を更に具え、
上記変換部は、上記二つの筐体にそれぞれ設けられた二つの上記マイクが集音した音声信号を、それぞれ一のパルス信号と他のパルス信号に変換し、
上記計測部は、上記一のパルス信号と上記他のパルス信号に基づいて、上記一のパルスの一の発生回数と上記他のパルス信号の他の発生回数を計測し、
上記制御部は、上記一の発生回数と上記他の発生回数に基づいて上記所定の制御を行う
請求項６に記載の制御装置。
【請求項８】
変換部が、マイクにより集音された音声信号をパルス信号に変換し、
計測部が、上記パルス信号に基づいて、パルスの発生回数を計測し、
計測制御部が、上記パルス信号において一のパルスが発生してから所定期間内に発生したパルスは上記発生回数の計測対象から除外されるよう上記計測部を制御し、
制御部が、上記発生回数に基づいて所定の制御を行う
制御方法。
【請求項９】
コンピュータに、
変換部が、マイクにより集音された音声信号をパルス信号に変換するステップと、
計測部が、上記パルス信号に基づいて、パルスの発生回数を計測するステップと、
計測制御部が、上記パルス信号において一のパルスが発生してから所定期間内に発生したパルスは上記発生回数の計測対象から除外されるよう上記計測部を制御するステップと、
制御部が、上記発生回数に基づいて所定の制御を行うステップと
を実行させるための制御プログラム。
【発明の詳細な説明】
【技術分野】
【０００１】
本発明は、制御装置、制御方法及び制御プログラムに関し、例えば、ユーザ操作により再生装置を制御する際に適用して好適なものである。
【背景技術】
【０００２】
一般的に、ユーザが携帯型のオーディオプレイヤで音楽を聴取する際には、ヘッドホンが用いられる。この場合、例えば、オーディオプレイヤ本体に設けられている操作ボタンをユーザが操作することにより、音楽の再生開始や再生停止、曲送り、曲戻し、音量の増減などが行われる。
【０００３】
しかし、ユーザがヘッドホンで音楽を聴取中にオーディオプレイヤ本体を鞄や衣服のポケットなどに入れている場合、オーディオプレイヤ本体の操作ボタンを操作させるのは、ユーザに煩わしさを感じさせてしまう。
【０００４】
そこで、ヘッドホンの筐体にオーディオプレイヤの操作ボタンが設けられたヘッドホンがある。
【０００５】
また一方で、ヘッドホンの筐体にマイクを内蔵し、当該マイクで集音した周囲のノイズと逆位相の音を出力することで周囲のノイズを低減させた音声をユーザに聴取させるノイズキャンセル機能を有するヘッドホンもある。
【０００６】
そして従来、このノイズキャンセル用のマイクで、ユーザが筐体を叩打操作した音を集音して叩打操作の回数を判別し、その回数に応じて、オーディオプレイヤの制御を行うヘッドホンが提案されている（例えば、特許文献１参照）。
【０００７】
このヘッドホンによれば、ヘッドホンの筐体に別途操作ボタンを設けることなく、筐体を叩打操作するだけの簡易な操作で、オーディオプレイヤを制御することができる。尚、ここで言う叩打操作とは、１回あるいは複数回、ユーザが指などで対象物を叩く（タッピングする）ユーザ操作のことを言う。
【先行技術文献】
【特許文献】
【０００８】
【特許文献１】特開２００８−１６６８９７公報
【発明の概要】
【発明が解決しようとする課題】
【０００９】
ところで、上述したヘッドホンにおいて、筐体が叩打操作された回数を判別するには、叩打操作により生じる音をノイズキャンセル用のマイクで集音してパルス信号に変換し、パルスの発生回数を叩打操作の回数として判別することが考えられる。
【００１０】
しかし、実際のところ、筐体が叩打操作されたことにより生じる音には、１回の叩打操作につき、振幅の近い複数の振動が発生する。したがって、当該ヘッドホンがこの音をパルス信号に変換すると、１回の叩打操作につき当該パルス信号から複数のパルスが発生してしまうことがある。
【００１１】
すると、当該ヘッドホンは、パルスの発生回数から叩打操作の回数を正確に判別できず、実際の叩打操作の回数とは異なる回数の叩打操作があったと誤認識し、ユーザが意図する命令とは異なる命令に応じて制御してしまう。
【００１２】
このように、叩打操作に応じて制御を行う従来のヘッドホンでは、ユーザの所望する命令に応じて正確に制御を行うことが困難であった。
【００１３】
本発明は以上の点を考慮してなされたもので、ユーザ操作により生じる音に応じて制御を行う際に、ユーザの所望する命令に応じて正確に制御を行い得る制御装置、制御方法及び制御プログラムを提案しようとするものである。
【課題を解決するための手段】
【００１４】
かかる課題を解決するため本発明の制御装置においては、マイクが集音した音声信号をパルス信号に変換する変換部と、パルス信号に基づいて、パルスの発生回数を計測する計測部と、パルス信号において一のパルスが発生してから所定期間内に発生したパルスは当該発生回数の計測対象から除外されるよう計測部を制御する計測制御部と、当該発生回数に基づいて所定の制御を行う制御部とを設けるようにした。
【００１５】
こうすることにより、マイクを介してユーザ操作が行われた際に、集音された音声信号が変換されたパルス信号に基づいて、ユーザ操作の回数に応じたパルスの発生回数を計測することができ、この回数に応じて制御を行うことができる。
【発明の効果】
【００１６】
本発明によれば、マイクを介してユーザ操作が行われた際に、集音された音声信号が変換されたパルス信号に基づいて、ユーザ操作の回数に応じたパルスの発生回数を計測することができ、この回数に応じて制御を行うことができる。かくして、ユーザ操作により生じる音で制御を行う際に、ユーザの所望する命令に応じて正確に制御を行い得る制御装置、制御方法及び制御プログラムを実現することができる。
【図面の簡単な説明】
【００１７】
【図１】実施の形態の概要となる制御装置の機能構成を示すブロック図である。
【図２】携帯型音楽再生装置の全体構成を示す略線図である。
【図３】携帯型音楽再生装置の回路構成を示すブロック図である。
【図４】叩打時における音声信号の波形（１）を示す略線図である。
【図５】叩打時におけるパルス信号の波形（１）を示す略線図である。
【図６】非検出期間を示す略線図である。
【図７】コマンド対応表を示す略線図である。
【図８】コマンド変換処理手順（１）を示すフローチャートである。
【図９】コマンド変換処理手順（２）を示すフローチャートである。
【図１０】叩打時における音声信号の波形（２）を示す略線図である。
【図１１】叩打時におけるパルス信号の波形（２）を示す略線図である。
【図１２】他の実施の形態における再生コマンド対応表を示す略線図である。
【発明を実施するための形態】
【００１８】
以下、発明を実施するための最良の形態（以下実施の形態とする）について説明する。なお、説明は以下の順序で行う。
１．実施の形態
２．他の実施の形態
【００１９】
＜１．実施の形態＞
［１−１．実施の形態の概要］
まず、実施の形態の概要を説明する。因みに、この概要を説明した後、実施の形態の具体例の説明に移る。
【００２０】
図１において１は、実施の形態の概要となる制御装置の機能構成を示す。この制御装置１は、変換部１１と、計測部１２と、計測制御部１３と、制御部１４とを有している。
【００２１】
変換部１１は、マイク１５が集音した音声信号をパルス信号に変換するようになされている。計測部１２は、当該パルス信号に基づいて、パルスの発生回数を計測するようになされている。計測制御部１３は、当該パルス信号において一のパルスが発生してから所定期間内に発生したパルスは当該発生回数の計測対象から除外されるよう計測部１２を制御するようになされている。制御部１４は、当該発生回数に基づいて所定の制御を行うようになされている。
【００２２】
このような構成により、制御装置１は、マイク１５を介してユーザ操作が行われた際に、集音された音声信号が変換されたパルス信号に基づいて、ユーザ操作の回数に応じたパルスの発生回数を計測することができ、この回数に応じて制御を行うことができる。
【００２３】
したがって、制御装置１は、マイク１５を介して行われたユーザ操作により生じる音で制御を行う際に、ユーザの所望する命令に応じて正確に制御を行うことができる。
【００２４】
また、このような構成に加えて、制御装置１に、コンテンツデータを再生する構成を追加してもよい。
【００２５】
この場合、制御装置１は、上述した各部に加えて再生部１６を有する。再生部１６は、コンテンツデータを再生するようになされている。制御部１４は、計測部１２より計測されたパルスの発生回数に基づいて再生部１６の再生制御を行うようになされている。
【００２６】
また、このような構成に加えて、制御装置１に、ノイズキャンセルを行う構成を追加してもよい。
【００２７】
この場合、制御装置１は、上述した各部に加えて生成部１７を有する。生成部１７は、マイク１５が集音した周囲のノイズ（騒音）の音声信号に基づいて、当該音声信号を低減するための低減信号を生成するようになされている。
【００２８】
また、このような構成に加えて、制御装置１に、マイク１５とドライバ１８とがそれぞれ設けられる二つの筐体からなるヘッドホン１９を追加してもよい。
【００２９】
このような機能構成でなる制御装置１の具体例について、以下、詳しく説明する。
【００３０】
［１−２．実施の形態の具体例］
［１−２−１．携帯型音楽再生装置の全体構成］
図２において、３０は全体として上述した制御装置１の具体例である携帯型音楽再生装置を示し、装置本体３１と、ヘッドホン３２とから構成される。因みに、このヘッドホン３２が、上述した制御装置１のヘッドホン１９に対応するハードウェアである。
【００３１】
装置本体３１は、扁平な略直方体状の筐体４０からなり、全体として片手で把持しうる程度の大きさである。
【００３２】
筐体４０には、その正面４０Ａの中央に表示部４１が設けられていると共に、この表示部４１の下方に音楽の再生開始、再生停止、曲送り、曲戻し、音量の増減などをするための各種操作ボタンからなる操作部４２が設けられている。また、筐体４０には、その左下部にヘッドホン３２と接続するためのジャック４３が設けられている。
【００３３】
ヘッドホン３２は、右耳用の右スピーカ部５０Ｒ及び左耳用の左スピーカ部５０Ｌと、これらを装置本体３１と接続するための接続ケーブル５１とでなる。右スピーカ部５０Ｒ及び左スピーカ部５０Ｌは、左右対称である。接続ケーブル５１は、一端側が二股に分かれ、その一方に右スピーカ部５０Ｒが取り付けられ、他方に左スピーカ部５０Ｌが取り付けられている。また接続ケーブル５１には、その他端側にプラグ５２が設けられている。
【００３４】
そして、このヘッドホン３２は、接続ケーブル５１のプラグ５２が装置本体３１のジャック４３に挿し込まれることにより、装置本体３１と電気的に接続されるようになっている。
【００３５】
ヘッドホン３２の右スピーカ部５０Ｒは、右側筐体５３Ｒと、右側ドライバユニット５４Ｒと、右側イヤピース５５Ｒとを有している。一方、左スピーカ部５０Ｌも、左側筐体５３Ｌと、左側ドライバユニット５４Ｌと、左側イヤピース５５Ｌとを有している。
【００３６】
右側筐体５３Ｒは、略楕円柱状の筐体であり、接続ケーブル５１の一端側の二股に分かれた端部のうちの一方の端部と直接接続されている。また左側筐体５３Ｌも、略楕円柱状の筐体であり、接続ケーブル５１の一端側の二股に分かれた端部のうちの他方の端部と直接接続されている。
【００３７】
さらに右側筐体５３Ｒには、内側の面に略円盤状の右側ドライバユニット５４Ｒが取り付けられ、この右側ドライバユニット５４Ｒに、略傘状の右側イヤピース５５Ｒが、右側筐体５３Ｒとは反対側に突出するように取り付けられている。
【００３８】
一方、左側筐体５３Ｌにも、内側の面に略円盤状の左側ドライバユニット５４Ｌが取り付けられ、この左側ドライバユニット５４Ｌに、略傘状の左側イヤピース５５Ｌが、左側筐体５３Ｌとは反対側に突出するように取り付けられている。
【００３９】
そして、右側イヤピース５５Ｒ及び左側イヤピース５５Ｌが、それぞれユーザの右耳及び左耳の耳孔に挿入されるようになされている。
【００４０】
携帯型音楽再生装置３０では、装置本体３１からプラグ５２を介して接続されたヘッドホン３２に音声信号が入力される。すると、接続ケーブル５１及び右側筐体５３Ｒを介して右側ドライバユニット５４Ｒに右チャンネルの音声信号が送出され、接続ケーブル５１及び左側筐体５３Ｌを介して、左側ドライバユニット５４Ｌに左チャンネルの音声信号が送出される。
【００４１】
そして、送出された右チャンネルの音声信号に基づいて、右側ドライバユニット５４Ｒから右チャンネルの音声が出力されることにより、右側イヤピース５５Ｒを介してユーザに右チャンネルの音声を聴取させることができるようになされている。
【００４２】
同様に、送出された左チャンネルの音声信号に基づいて、左側ドライバユニット５４Ｌから左チャンネルの音声が出力されることにより、左側イヤピース５５Ｌを介してユーザに左チャンネルの音声を聴取させることができるようになされている。
【００４３】
また、右側筐体５３Ｒには、ノイズキャンセル用の右側マイク５６Ｒが内蔵されている。そして、右側筐体５３Ｒの外側の面に、右側マイク５６Ｒが周囲のノイズを集音するための右側マイク孔５３Ｒｈが設けられている。同様に、左側筐体５３Ｌには、ノイズキャンセル用の左側マイク５６Ｌが内蔵されている。そして、左側筐体５３Ｌの外側の面に、左側マイク５６Ｌが周囲のノイズを集音するための左側マイク孔５３Ｌｈが設けられている。
【００４４】
携帯型音楽再生装置３０では、右側マイク５６Ｒ及び左側マイク５６Ｌが周囲のノイズを集音すると、右側ドライバユニット５４Ｒ及び左側ドライバユニット５４Ｌが、当該ノイズと逆位相の音を出力する。こうすることにより、携帯型音楽再生装置３０は、周囲のノイズを低減させた音声を、ユーザに聴取させることができるようになされている。
【００４５】
さらに、携帯型音楽再生装置３０は、ユーザが右側マイク孔５３Ｒｈ又は左側マイク孔５３Ｌｈの上を叩打操作すると、その叩打操作により生じた音を右側マイク５６Ｒ又は左側マイク５６Ｌにより集音するようになされている。そして、携帯型音楽再生装置３０は、右側マイク５６Ｒ又は左側マイク５６Ｌにより集音した音に基づいて、ユーザの叩打操作を各種コマンドに変換するようにもなされている。詳しくは後述する。
【００４６】
因みに、右側ドライバユニット５４Ｒ及び左側ドライバユニット５４Ｌが、上述した制御装置１のドライバ１８に対応するハードウェアである。また、右側マイク５６Ｒ及び左側マイク５６Ｌが上述した制御装置１のマイク１５に対応するハードウェアである。
【００４７】
［１−２−２．携帯型音楽再生装置の回路構成］
図３に示すように、携帯型音楽再生装置３０は、ヘッドホン３２のプラグ５２と、装置本体３１のジャック４３とが電気的に接続されるようになされている。
【００４８】
具体的には、互いに対向するプラグ５２の端子ＴＰ１〜ＴＰ４と、ジャック４３の端子ＴＪ１〜ＴＪ４とが接続されることにより、ヘッドホン３２と装置本体３１とが電気的に接続されるようになされている。
【００４９】
そしてこの携帯型音楽再生装置３０は、装置本体３１に内蔵された制御部６０が図示しないＲＯＭ（Read Only Memory）から読み出したプログラムに従って全体を統括制御すると共に、各種処理を実行するようになされている。
【００５０】
すなわち、携帯型音楽再生装置３０は、制御部６０の制御のもと、装置本体３１により音楽データを再生し、その再生音声をヘッドホン３２から出力することで、その再生音声をユーザに聴取させる。その際、携帯型音楽再生装置３０は、ヘッドホン３２の右側筐体５３Ｒ及び左側筐体５３Ｌ（図２）に内蔵された右側マイク５６Ｒ及び左側マイク５６Ｌにより周囲のノイズを集音し、当該ノイズと逆位相の音をヘッドホン３２から出力する。こうすることで、携帯型音楽再生装置３０は、ノイズを低減させた再生音声をユーザに聴取させることができるようになされている。
【００５１】
具体的に、ヘッドホン３２は、右側マイク５６Ｒにより周囲のノイズを集音し、その結果得られた右側ノイズ信号ＳＲ１を端子ＴＰ１及び端子ＴＪ１を介して装置本体３１の右側マイクアンプ６１Ｒへ送出する。
【００５２】
同様に、ヘッドホン３２は、左側マイク５６Ｌにより周囲のノイズを集音し、その結果得られた左側ノイズ信号ＳＬ１を端子ＴＰ２及び端子ＴＪ２を介して装置本体３１の左側マイクアンプ６１Ｌへ送出する。
【００５３】
右側マイクアンプ６１Ｒは、ヘッドホン３２の右側マイク５６Ｒから送出された右側ノイズ信号ＳＲ１の信号レベルを所定のレベルに増幅し、その結果得られる右側増幅ノイズ信号ＳＲ２を右側フィルタ回路６２Ｒへ送出する。
【００５４】
同様に、左側マイクアンプ６１Ｌは、ヘッドホン３２の左側マイク５６Ｌから送出された左側ノイズ信号ＳＬ１の信号レベルを所定のレベルに増幅し、その結果得られる左側増幅ノイズ信号ＳＬ２を左側フィルタ回路６２Ｌへ送出する。
【００５５】
右側フィルタ回路６２Ｒは、制御部６０の制御のもと、右側増幅ノイズ信号ＳＲ２の位相を反転することにより逆位相の右側ノイズ低減信号ＳＲ３を生成し、これを右側加算器６３Ｒへ送出する。
【００５６】
同様に、左側フィルタ回路６２Ｌは、制御部６０の制御のもと、左側増幅ノイズ信号ＳＬ２の位相を反転することにより逆位相の左側ノイズ低減信号ＳＬ３を生成し、これを左側加算器６３Ｌへ送出する。
【００５７】
また、制御部６０は、装置本体３１に設けられた操作部４２を介してユーザにより音楽データの再生が指示されると、これに応じて記憶部６４から音楽データＭＤを読み出し、これを再生部６５に送出する。
【００５８】
再生部６５は、音楽データＭＤに対して、復号処理、Ｄ／Ａ（Digital/Analog）変換処理等の所定の再生処理を施すことで、右チャンネル再生信号ＳＲ４及び左チャンネル再生信号ＳＬ４を得る。そして、再生部６５は、右チャンネル再生信号ＳＲ４を右側加算器６３Ｒに送出し、左チャンネル再生信号ＳＬ４を左側加算器６３Ｌに送出する。
【００５９】
右側加算器６３Ｒは、右側フィルタ回路６２Ｒから送出された右側ノイズ低減信号ＳＲ３と、再生部６５から送出された右チャンネル再生信号ＳＲ４を加算することにより、右側合成信号ＳＲ５を生成する。そして右側加算器６３Ｒは、この右側合成信号ＳＲ５を、右側ヘッドホンアンプ６６Ｒに送出する。
【００６０】
同様に、左側加算器６３Ｌは、左側フィルタ回路６２Ｌから送出された左側ノイズ低減信号ＳＬ３と、再生部６５から送出された左チャンネル再生信号ＳＬ４を加算することにより、左側合成信号ＳＬ５を生成する。そして左側加算器６３Ｌは、この左側合成信号ＳＬ５を左側ヘッドホンアンプ６６Ｌに送出する。
【００６１】
右側ヘッドホンアンプ６６Ｒは、右側合成信号ＳＲ５の信号レベルを所定のレベルに増幅し、その結果得られる右チャンネル信号ＳＲ６を、端子ＴＪ３及び端子ＴＰ３を介してヘッドホン３２の右側ドライバユニット５４Ｒに送出する。
【００６２】
同様に、左側ヘッドホンアンプ６６Ｌは、左側合成信号ＳＬ５の信号レベルを所定のレベルに増幅し、その結果得られる左チャンネル信号ＳＬ６を、端子ＴＪ４及び端子ＴＰ４を介してヘッドホン３２の左側ドライバユニット５４Ｌに送出する。
【００６３】
この結果、右側ドライバユニット５４Ｒは、右チャンネル信号ＳＲ６に基づく右チャンネルの音声を出力し、左側ドライバユニット５４Ｌは、左チャンネル信号ＳＬ６に基づく左チャンネルの音声を出力する。
【００６４】
このようにして、携帯型音楽再生装置３０は、装置本体３１により音楽データを再生し、その再生音声を、周囲のノイズを低減させた状態で、ヘッドホン３２からユーザに聴取させるようになされている。
【００６５】
因みに、再生部６５が、上述した制御装置１の再生部１６に対応するハードウェアである。また、右側フィルタ回路６２Ｒ及び左側フィルタ回路６２Ｌが、上述した制御装置１の生成部１７に対応するハードウェアである。
【００６６】
また、装置本体３１の制御部６０は、このように再生する音楽データのタイトル名やアーティスト名など音楽データに関連する情報や、現在の音量を示す情報などの各種情報を、表示部４１に表示させるようにもなされている。
【００６７】
また、携帯型音楽再生装置３０では、ユーザが、ヘッドホン３２の右側筐体５３Ｒ又は左側筐体５３Ｌを叩打操作することにより、その叩打操作の回数に応じて、音楽の再生開始、再生停止、曲送り、曲戻し、音量の増減などのコマンドを入力できるようになされている。
【００６８】
具体的に、ヘッドホン３２の右側マイク５６Ｒは、右側筐体５３Ｒが叩打操作されたことにより生じた音を集音し、その結果得られた右側音声信号ＳＴＲ１を端子ＴＰ１及び端子ＴＪ１を介して装置本体３１の右側マイクアンプ６１Ｒへ送出する。
【００６９】
右側マイクアンプ６１Ｒは、ヘッドホン３２の右側マイク５６Ｒから送出された右側音声信号ＳＴＲ１の信号レベルを所定のレベルに増幅し、その結果得られる右側増幅音声信号ＳＴＲ２を右側コンパレータ６７Ｒへ送出する。
【００７０】
右側コンパレータ６７Ｒは、右側増幅音声信号ＳＴＲ２の信号レベルが所定の閾値を越えるとパルスに変換し、右側パルス信号ＳＰＲを生成する。
【００７１】
そして、右側コンパレータ６７Ｒは、この右側パルス信号ＳＰＲをＰＩＣ（Peripheral Interface Controller）マイクロコンピュータで構成されるコマンド変換部６８に送出する。
【００７２】
同様に、ヘッドホン３２の左側マイク５６Ｌは、左側筐体５３Ｌが叩打操作されたことにより生じた音を集音し、その結果得られた左側音声信号ＳＴＬ１を端子ＴＰ２及び端子ＴＪ２を介して装置本体３１の左側マイクアンプ６１Ｌへ送出する。
【００７３】
左側マイクアンプ６１Ｌは、ヘッドホン３２の左側マイク５６Ｌから送出された左側音声信号ＳＴＬ１の信号レベルを所定のレベルに増幅し、その結果得られる左側増幅音声信号ＳＴＬ２を左側コンパレータ６７Ｌへ送出する。
【００７４】
左側コンパレータ６７Ｌは、左側増幅音声信号ＳＴＬ２の信号レベルが所定の閾値を越えるとパルスに変換し、左側パルス信号ＳＰＬを生成する。そして、左側コンパレータ６７Ｌは、この左側パルス信号ＳＰＬをコマンド変換部６８に送出する。
【００７５】
コマンド変換部６８は、送出された右側パルス信号ＳＰＲ又は左側パルス信号ＳＰＬからパルスを検出すると、右側筐体５３Ｒ又は左側筐体５３Ｌがユーザに叩打操作されたと認識する。
【００７６】
そして、コマンド変換部６８は、所定の期間（これを、カウント期間ＣＴとも呼ぶ）ごとに、当該カウント期間ＣＴ内にパルスを検出した回数をカウントする。このカウント期間ＣＴは、コマンド変換部６８内のタイマ（図示せず）により管理され、連続して繰り返し設けられるようになされている。カウント期間ＣＴは、例えば、１［ｓ］に設定されている。
【００７７】
尚、ここでは、コマンド変換部６８が、カウント期間ＣＴ内に右側パルス信号ＳＰＲからパルスを検出した回数を右側パルス検出回数と呼び、左側パルス信号ＳＰＬからパルスを検出した回数を左側パルス検出回数と呼ぶ。また、右側パルス検出回数及び左側パルス検出回数を、まとめて、パルス検出回数とも呼ぶ。このコマンド変換部６８がパルス検出回数をカウントする処理については、後ほど詳しく説明する。
【００７８】
そして、コマンド変換部６８は、右側パルス検出回数を、カウント期間ＣＴ内に右側筐体５３Ｒがユーザに叩打操作された回数（これを、右側叩打回数とも呼ぶ）であると判別する。また、コマンド変換部６８は、左側パルス検出回数を、カウント期間ＣＴ内に左側筐体５３Ｌがユーザに叩打操作された回数（これを、左側叩打回数とも呼ぶ）であると判別する。尚、右側叩打回数及び左側叩打回数をまとめて叩打回数とも呼ぶ。
【００７９】
そして、コマンド変換部６８は、この叩打回数に応じて、ユーザの叩打操作をコマンドに変換し、このコマンドを制御部６０に送出する。尚、このコマンド変換部６８が、叩打回数に応じてユーザの叩打操作をコマンドに変換する処理については、後ほど詳しく説明する。
【００８０】
制御部６０は、コマンド変換部６８から送出されたコマンドに従って、各部を制御し、各種処理を実行する。例えば、制御部６０は、再生部６５を制御し、音楽の再生開始、再生停止、曲送り、曲戻しなどの処理を実行したり、右側ヘッドホンアンプ６６Ｒ及び左側ヘッドホンアンプ６６Ｌを制御し、音量増、音量減などの処理を実行したりする。
【００８１】
このように、携帯型音楽再生装置３０は、ヘッドホン３２の右側筐体５３Ｒ又は左側筐体５３Ｌがユーザにより叩打操作されると、ユーザの叩打操作を叩打回数に応じてコマンドに変換し、そのコマンドに従って各部を制御するようになされている。
【００８２】
因みに、右側コンパレータ６７Ｒ及び左側コンパレータ６７Ｌが、上述した制御装置１の変換部１１に対応するハードウェアである。また、コマンド変換部６８が、上述した制御装置１の計測部１２、計測制御部１３、制御部１４に対応するハードウェアである。さらに、制御部６０が、上述した制御装置１の制御部１４に対応するハードウェアである。
【００８３】
［１−２−３．パルス検出回数カウント処理］
次に、上述したコマンド変換部６８がパルス検出回数をカウントする処理について詳しく説明する。
【００８４】
例えば、ユーザによりカウント期間ＣＴ内で右側筐体５３Ｒが２回叩打操作されたとする。このとき、ユーザの右側筐体５３Ｒへの叩打操作により生じた音が右側マイク５６Ｒにより集音され、その結果得られた右側音声信号ＳＴＲ１が右側マイクアンプ６１Ｒを介して右側増幅音声信号ＳＴＲ２として、右側コンパレータ６７Ｒに送出される。
【００８５】
図４に、このとき得られる右側増幅音声信号ＳＴＲ２の波形の一例を示す。図４に示すように、右側増幅音声信号ＳＴＲ２では、叩打操作１回につき、信号レベルにおいて振幅の近い複数の振動が発生している。
【００８６】
そして、右側増幅音声信号ＳＴＲ２は、右側コンパレータ６７Ｒにより所定の信号レベルの閾値（図４）においてパルスに変換され、右側パルス信号ＳＰＲが生成される。
【００８７】
図５に、このとき右側増幅音声信号ＳＴＲ２に基づいて得られる右側パルス信号ＳＰＲの波形の一例を示す。図５に示すように、右側パルス信号ＳＰＲでは、叩打操作１回につき５個のパルスが発生し、叩打操作２回で計１０個のパルスが発生している。
【００８８】
したがって、このとき、コマンド変換部６８は、右側パルス信号ＳＰＲに発生しているパルスを全部検出した場合、叩打操作２回で計１０個のパルスを検出することになる。そして、コマンド変換部６８は、右側パルス信号ＳＰＲからパルスを検出すると右側筐体５３Ｒが叩打操作されたと認識するために、このとき、実際の叩打操作が２回であるところ、叩打操作が１０回であると判別してしまう。
【００８９】
このように、コマンド変換部６８は、右側筐体５３Ｒへの叩打操作１回につき発生するパルスを全部検出し、パルスの検出回数を右側叩打回数として判別した場合、右側叩打回数を誤って判別してしまうことがある。
【００９０】
そこで、コマンド変換部６８は、図６に示すように、右側パルス信号ＳＰＲからパルスを１回検出した直後に非検出期間ＮＴを設け、この非検出期間ＮＴ内には右側パルス信号ＳＰＲからパルスを検出しないようにする。すなわち、コマンド変換部６８は、ユーザの叩打操作１回により短時間の間に連続して発生する複数のパルスの先頭のパルスをその立ち下がりで検出し、当該先頭のパルスの立ち下がり時点から非検出期間ＮＴを開始する。
【００９１】
また、非検出期間ＮＴは、連続した叩打操作の際、１回目の叩打操作により発生するパルスのうち先頭のパルス以外のパルスは検出されないが、２回目の叩打操作により発生するパルスの先頭のパルスは検出されるような適度な長さ（例えば、２００［ｍｓ］）に設定されている。したがって、非検出期間ＮＴは、カウント期間ＣＴよりは短くなるように設定されている。尚、この非検出期間ＮＴは、コマンド変換部６８内のタイマにより管理される。
【００９２】
このような非検出期間ＮＴを設けることで、コマンド変換部６８は、右側筐体５３Ｒへの叩打操作１回につき右側パルス信号ＳＰＲからパルスを１個だけ検出することができ、この結果、右側パルス検出回数を１回とカウントすることができる。こうすることで、例えば、図６の場合、コマンド変換部６８は、右側パルス検出回数を２回とカウントするため、右側パルス検出回数と実際の右側叩打回数（２回）とが一致する。
【００９３】
このように、コマンド変換部６８は、右側筐体５３Ｒへの実際の叩打操作の回数に応じた数のパルスを検出することができ、右側パルス検出回数から右側叩打回数を正確に判別することができる。
【００９４】
上述した右側筐体５３Ｒの場合と同様に、左側筐体５３Ｌを叩打した場合も、叩打操作１回につき複数のパルスが発生することがある。したがって、コマンド変換部６８は、左側筐体５３Ｌへの叩打操作１回につき発生するパルスを全部検出し、パルスの検出回数を左側叩打回数として判別した場合、左側叩打回数を誤って判別してしまうことがある。
【００９５】
そこで、コマンド変換部６８は、左側パルス信号ＳＰＬからパルスを１回検出した直後に非検出期間ＮＴを設け、この非検出期間ＮＴ内には左側パルス信号ＳＰＬからパルスを検出しないようになされている。
【００９６】
こうすることにより、コマンド変換部６８は、左側筐体５３Ｌへの実際の叩打操作の回数に応じた数のパルスを検出することができ、左側パルス検出回数から左側叩打回数を正確に判別することができる。
【００９７】
［１−２−４．コマンド変換処理］
次に、上述したコマンド変換部６８が、ユーザの叩打操作を、叩打回数に応じてコマンドに変換する処理について詳しく説明する。
【００９８】
図７に、右側叩打回数及び左側叩打回数と、変換されるコマンドとの対応表を示す。図７（Ａ）のモード切替えコマンド対応表に示すように、コマンド変換部６８は、右側叩打回数及び左側叩打回数がそれぞれ１回であると判別すると、ユーザの叩打操作を「オンモード／オフモードの切替え」というコマンドに変換する。尚、このコマンドをモード切替えコマンドとも呼ぶ。
【００９９】
オンモードとは、ユーザが、右側筐体５３Ｒ及び左側筐体５３Ｌを叩打操作することより、音楽の再生開始、再生停止、曲送り、曲戻し、音量の増減など音楽の再生に関するコマンド（これを、再生コマンドとも呼ぶ）やモード切替えコマンドを入力できるモードである。
【０１００】
一方、オフモードとは、ユーザが、右側筐体５３Ｒ及び左側筐体５３Ｌを叩打操作することより、モード切替えコマンドを入力することはできるが、再生コマンドを入力することはできないモードである。
【０１０１】
携帯型音楽再生装置３０は、装置本体３１の電源がオンにされた直後は、オフモードで動作するようになされている。
【０１０２】
そして、このオフモードのときに、例えば、カウント期間ＣＴ内でユーザにより右側筐体５３Ｒ及び左側筐体５３Ｌが１回ずつ叩打操作されたとする。
【０１０３】
このとき、コマンド変換部６８は、右側叩打回数及び左側叩打回数がそれぞれ１回であると判別し、ユーザの叩打操作を、モード切替えコマンド対応表（図７（Ａ））に従って、「オンモード／オフモードの切替え」というモード切替えコマンドに変換する。
【０１０４】
そして、コマンド変換部６８は、このモード切替えコマンドに従って、オフモードからオンモードに切り替わる。
【０１０５】
オンモードでは、携帯型音楽再生装置３０は、ユーザが、右側筐体５３Ｒ又は左側筐体５３Ｌを叩打操作すると、その叩打回数に応じて、音楽の再生開始、再生停止、曲送り、曲戻し、音量の増減などの再生コマンドを入力できるようになされている。
【０１０６】
図７（Ｂ）の再生コマンド対応表に示すように、コマンド変換部６８は、オンモードのとき、右側叩打回数が１回の場合には、ユーザの叩打操作を「再生開始／再生停止」の再生コマンドに変換する。また、右側叩打回数が、２回の場合には、ユーザの叩打操作を「曲送り」の再生コマンドに変換し、３回の場合には「曲戻し」の再生コマンドに変換する。また、このとき、コマンド変換部６８は、左側叩打回数が１回の場合には、ユーザの叩打操作を「音量増」の再生コマンドに変換し、２回の場合には「音量減」の再生コマンドに変換する。
【０１０７】
具体的に、このオンモードのときに、例えば、カウント期間ＣＴ内でユーザにより右側筐体５３Ｒが２回叩打操作されたとする。
【０１０８】
このとき、コマンド変換部６８は、右側叩打回数が２回であると判別し、再生コマンド対応表（図７（Ｂ））に従って、ユーザの叩打操作を「曲送り」という再生コマンドに変換する。
【０１０９】
そして、コマンド変換部６８は、変換した「曲送り」という再生コマンドを制御部６０に送出する。
【０１１０】
制御部６０は、コマンド変換部６８から送出された「曲送り」という再生コマンドに従って、現在音楽が再生されていた場合、現在再生されている曲の次の曲を再生するよう、再生部６５を制御する。
【０１１１】
また、オンモードのときに、例えば、カウント期間ＣＴ内でユーザにより左側筐体５３Ｌが１回叩打操作されたとする。
【０１１２】
このとき、コマンド変換部６８は、左側叩打回数が１回であると判別し、再生コマンド対応表（図７（Ｂ））に従って、ユーザの叩打操作を「音量増」という再生コマンドに変換する。
【０１１３】
そして、コマンド変換部６８は、変換した「音量増」という再生コマンドを制御部６０に送出する。
【０１１４】
制御部６０は、コマンド変換部６８から送出された「音量増」という再生コマンドに従って、右側ドライバユニット５４Ｒ及び左側ドライバユニット５４Ｌから出力させる音量を増加するよう、右側ヘッドホンアンプ６６Ｒ及び左側ヘッドホンアンプ６６Ｌを制御する。
【０１１５】
また、オンモードのとき、例えば、カウント期間ＣＴ内でユーザにより右側筐体５３Ｒ及び左側筐体５３Ｌが１回ずつ叩打操作されたとする。
【０１１６】
このとき、コマンド変換部６８は、右側叩打回数及び左側叩打回数がそれぞれ１回であると判別し、ユーザの叩打操作を、モード切替えコマンド対応表（図７（Ａ））に従って、「オンモード／オフモードの切替え」というモード切替えコマンドに変換する。
【０１１７】
そして、コマンド変換部６８は、このモード切替えコマンドに従って、オンモードからオフモードに切り替わる。
【０１１８】
そして、このオフモードのときには、例えば、カウント期間ＣＴ内でユーザにより右側筐体５３Ｒが２回叩打操作されたとしても、上述したように、コマンド変換部６８は、ユーザの叩打操作を再生コマンドに変換しない。
【０１１９】
このように、携帯型音楽再生装置３０は、オンモードとオフモードを設け、オフモードのときはユーザの叩打操作を再生コマンドに変換しないようにしたことにより、ユーザが意図せずに再生コマンドが入力されることを防止することができる。
【０１２０】
以上のように、携帯型音楽再生装置３０は、右側筐体５３Ｒ又は左側筐体５３Ｌが叩打操作されると、その叩打回数に応じてユーザの叩打操作（つまりユーザ操作）をコマンドに変換し、そのコマンドに従って各部を制御するようになされている。
【０１２１】
［１−２−５．コマンド変換処理手順］
次に、携帯型音楽再生装置３０が、ユーザの右側筐体５３Ｒ及び左側筐体５３Ｌへの叩打操作を、叩打回数に応じてコマンドに変換する処理の手順（これを、コマンド変換処理手順ＲＴ１とも呼ぶ）を図８及び図９のフローチャートを用いて説明する。このコマンド変換処理手順ＲＴ１は、装置本体３１のコマンド変換部６８が、コマンド変換部６８内の内蔵メモリ（図示せず）から読み出したプログラムに従って実行する処理の手順である。
【０１２２】
コマンド変換部６８は、例えば、装置本体３１の電源がオンにされると、このコマンド変換処理手順ＲＴ１を開始して、ステップＳＰ１に移る。
【０１２３】
ステップＳＰ１において、コマンド変換部６８は、オフモードを開始し、カウント期間ＣＴを開始して、ステップＳＰ２に移る。
【０１２４】
ステップＳＰ２において、コマンド変換部６８は、カウント期間ＣＴが終了したかどうかを判別する。
【０１２５】
ここで、カウント期間ＣＴが終了したことにより、このステップＳＰ２で肯定結果を得ると、このことは、当該カウント期間ＣＴ内に、ユーザの叩打操作によりモード切替えコマンドが入力されていないことを意味している。このとき、コマンド変換部６８は、ステップＳＰ３に移る。
【０１２６】
ステップＳＰ３において、コマンド変換部６８は、次のカウント期間ＣＴにおいて、新たに叩打回数を判別するために、パルス検出回数をリセット、つまりパルス検出回数を０回とする。そして、コマンド変換部６８は、新たにカウント期間ＣＴを開始して、ステップＳＰ２に戻り、カウント期間ＣＴが終了したかどうかを再度判別する。
【０１２７】
一方、カウント期間ＣＴが終了していないことにより、ステップＳＰ２で否定結果を得ると、コマンド変換部６８は、ステップＳＰ４に移る。
【０１２８】
ステップＳＰ４において、コマンド変換部６８は、右側パルス信号ＳＰＲ又は左側パルス信号ＳＰＬからパルスを検出したかどうかを判別する。
【０１２９】
ここで、右側パルス信号ＳＰＲ及び左側パルス信号ＳＰＬからパルスを検出していないことにより、ステップＳＰ４で否定結果を得ると、コマンド変換部６８は、ユーザにより右側筐体５３Ｒ及び左側筐体５３Ｌが叩打操作されていないと認識する。そして、コマンド変換部６８は、ステップＳＰ２に戻り、カウント期間ＣＴが終了したかどうかを再度判別する。
【０１３０】
一方、右側パルス信号ＳＰＲ又は左側パルス信号ＳＰＬからパルスが検出されたことにより、ステップＳＰ４で肯定結果を得ると、コマンド変換部６８は、ユーザにより右側筐体５３Ｒ又は左側筐体５３Ｌが叩打操作されたと認識する。そして、コマンド変換部６８は、ステップＳＰ５に移る。
【０１３１】
ステップＳＰ５において、コマンド変換部６８は、右側パルス信号ＳＰＲからパルスが検出された場合は右側パルス検出回数をカウントし、左側パルス信号ＳＰＬからパルスが検出された場合は左側パルス検出回数をカウントする。そして、コマンド変換部６８は、ステップＳＰ６に移る。
【０１３２】
ステップＳＰ６において、コマンド変換部６８は、非検出期間ＮＴを開始し、非検出期間ＮＴが終了するのを待ち受ける。非検出期間ＮＴが終了すると、コマンド変換部６８は、ステップＳＰ７に移る。
【０１３３】
ステップＳＰ７において、コマンド変換部６８は、右側パルス検出回数及び左側パルス検出回数がそれぞれ１回かどうかを判別する。
【０１３４】
ここで、右側パルス検出回数及び左側パルス検出回数がそれぞれ１回ではないことより、このステップＳＰ７で否定結果を得ると、このとき、コマンド変換部６８は、ステップＳＰ２に戻り、カウント期間ＣＴが終了したかどうかを再度判別する。
【０１３５】
一方、右側パルス検出回数及び左側パルス検出回数がそれぞれ１回であることより、このステップＳＰ７で肯定結果を得ると、コマンド変換部６８は、右側叩打回数及び左側叩打回数が１回であると判別し、ステップＳＰ８に移る。
【０１３６】
ステップＳＰ８において、コマンド変換部６８は、右側叩打回数及び左側叩打回数が１回であることより、ユーザの叩打操作を、モード切替えコマンド対応表（図７（Ａ））に従って、「オンモード／オフモードの切替え」というモード切替えコマンドに変換する。
【０１３７】
そして、コマンド変換部６８は、このモード切替えコマンドに従って、オフモードからオンモードに切り替わる。
【０１３８】
さらに、コマンド変換部６８は、パルス検出回数をリセットし、新たにカウント期間ＣＴを開始して、ステップＳＰ９に移る。
【０１３９】
ステップＳＰ９において、コマンド変換部６８は、カウント期間ＣＴが終了したかどうかを判別する。
【０１４０】
ここで、カウント期間ＣＴが終了していないことにより、このステップＳＰ９で否定結果を得ると、コマンド変換部６８は、ステップＳＰ１０に移る。
【０１４１】
ステップＳＰ１０において、コマンド変換部６８は、右側パルス信号ＳＰＲ又は左側パルス信号ＳＰＬからパルスが検出されたかどうかを判別する。
【０１４２】
ここで、右側パルス信号ＳＰＲ又は左側パルス信号ＳＰＬからパルスが検出されていないことにより、ステップＳＰ１０で否定結果を得ると、コマンド変換部６８は、ユーザにより右側筐体５３Ｒ又は左側筐体５３Ｌが叩打操作されていないと認識する。そして、コマンド変換部６８は、ステップＳＰ９に戻り、カウント期間ＣＴが終了したかどうかを再度判別する。
【０１４３】
一方、右側パルス信号ＳＰＲ又は左側パルス信号ＳＰＬからパルスが検出されたことにより、ステップＳＰ１０で肯定結果を得ると、コマンド変換部６８は、ユーザにより右側筐体５３Ｒ又は左側筐体５３Ｌが叩打操作されたと認識する。そして、コマンド変換部６８は、ステップＳＰ１１に移る。
【０１４４】
ステップＳＰ１１において、コマンド変換部６８は、右側パルス信号ＳＰＲからパルスが検出された場合は右側パルス検出回数をカウントし、左側パルス信号ＳＰＬからパルスが検出された場合は左側パルス検出回数をカウントする。そして、コマンド変換部６８は、ステップＳＰ１２に移る。
【０１４５】
ステップＳＰ１２において、コマンド変換部６８は、非検出期間ＮＴを開始し、非検出期間ＮＴが終了するのを待ち受ける。非検出期間ＮＴが終了すると、コマンド変換部６８は、ステップＳＰ１３に移る。
【０１４６】
ステップＳＰ１３において、コマンド変換部６８は、右側パルス検出回数及び左側パルス検出回数がそれぞれ３回以内かどうかを判別する。
【０１４７】
ここで、右側パルス検出回数又は左側パルス検出回数が４回以上であることより、ステップＳＰ１３で否定結果を得ると、コマンド変換部６８は、ユーザの叩打操作がコマンドとして無効であると判別し、ステップＳＰ１４に移る。
【０１４８】
こうすることにより、コマンド変換部６８は、カウント期間ＣＴが終了するまでユーザの叩打操作をコマンドとして無効であると判別しない場合に比べて、早くユーザの叩打操作をコマンドとして無効であると判別することができる。したがって、コマンド変換部６８は、新たにユーザに右側筐体５３Ｒ又は左側筐体５３Ｌを叩打操作されたことによりコマンドが入力された際に、より早くユーザの叩打操作をコマンドに変換することができる。
【０１４９】
ステップＳＰ１４において、コマンド変換部６８は、パルス検出回数をリセットし、新たにカウント期間ＣＴを開始して、ステップＳＰ９に戻り、カウント期間ＣＴが終了したかどうかを再度判別する。
【０１５０】
一方、右側パルス検出回数又は左側パルス検出回数がそれぞれ３回以内であることより、ステップＳＰ１３で肯定結果を得ると、コマンド変換部６８は、ステップＳＰ１５に移る。
【０１５１】
ステップＳＰ１５において、コマンド変換部６８は、右側パルス検出回数及び左側パルス検出回数がそれぞれ１回どうかを判別する。
【０１５２】
ここで、右側パルス検出回数及び左側パルス検出回数が１回ではないことより、ステップＳＰ１５で否定結果を得ると、コマンド変換部６８は、ステップＳＰ９に戻り、カウント期間ＣＴが終了したかどうかを再度判別する。
【０１５３】
一方、右側パルス検出回数及び左側パルス検出回数が１回であることより、ステップＳＰ１５で肯定結果を得ると、コマンド変換部６８は、右側叩打回数及び左側叩打回数が１回であると判別し、ステップＳＰ１６に移る。
【０１５４】
ステップＳＰ１６において、コマンド変換部６８は、右側叩打回数及び左側叩打回数が１回であることより、ユーザの叩打操作を、モード切替えコマンド対応表（図７（Ａ））に従って「オンモード／オフモードの切替え」というモード切替えコマンドに変換する。
【０１５５】
そして、コマンド変換部６８は、このモード切替えコマンドに従って、オンモードからオフモードに切り替わる。
【０１５６】
さらに、コマンド変換部６８は、パルス検出回数をリセットし、新たにカウント期間ＣＴを開始して、ステップＳＰ２に戻る。
【０１５７】
一方、カウント期間ＣＴが終了したことにより、ステップＳＰ９で肯定結果を得ると、コマンド変換部６８は、ステップＳＰ１７に移る。
【０１５８】
ステップＳＰ１７において、コマンド変換部６８は、右側パルス検出回数又は左側パルス検出回数が１回以上であるかどうかを判別する。
【０１５９】
ここで、右側パルス検出回数又は左側パルス検出回数が１回以上であることより、ステップＳＰ１７において肯定結果を得ると、このことは、カウント期間ＣＴ内でユーザに右側筐体５３Ｒ又は左側筐体５３Ｌが叩打操作されたことを意味している。このとき、コマンド変換部６８は、ステップＳＰ１８に移る。
【０１６０】
ステップＳＰ１８において、コマンド変換部６８は、右側パルス検出回数を右側叩打回数と判別し、左側パルス検出回数を左側叩打回数と判別する。そして、コマンド変換部６８は、ユーザの叩打を、再生コマンド対応表（図７（Ｂ））に従って、再生コマンドに変換し、この再生コマンドを制御部６０に送出する。
【０１６１】
制御部６０は、コマンド変換部６８から送出された再生コマンドに従って各部を制御し、音楽の再生開始、再生停止、曲送り、曲戻し、音量増、音量減などの各種処理を実行する。
【０１６２】
そして、コマンド変換部６８は、パルス検出回数をリセットし、ステップＳＰ１９に移る。
【０１６３】
一方、右側パルス検出回数及び左側パルス検出回数が０回であることより、ステップＳＰ１７において否定結果を得ると、このことは、カウント期間ＣＴ内でユーザにより右側筐体５３Ｒ及び左側筐体５３Ｌが叩打操作されていないことを意味する。このとき、コマンド変換部６８は、ステップＳＰ１９に移る。
【０１６４】
ステップＳＰ１９において、コマンド変換部６８は、新たにカウント期間ＣＴを開始してステップＳＰ９に戻り、当該カウント期間ＣＴが終了したかどうかを再度判別する。
【０１６５】
このようなコマンド変換処理手順ＲＴ１に従って、携帯型音楽再生装置３０は、ユーザの右側筐体５３Ｒ及び左側筐体５３Ｌへの叩打操作を、その叩打回数に応じてコマンドに変換し、そのコマンドに従って各部を制御するようになされている。
【０１６６】
［１−２−６．動作及び効果］
以上の構成において、携帯型音楽再生装置３０は、ユーザに右側筐体５３Ｒが叩打操作されたことにより生じた音を右側マイク５６Ｒにより集音するようにした。そして、携帯型音楽再生装置３０は、その結果得られた音声信号を、装置本体３１の右側マイクアンプ６１Ｒを介して、右側コンパレータ６７Ｒに送出するようにした。
【０１６７】
また、同様に、携帯型音楽再生装置３０は、ユーザに左側筐体５３Ｌが叩打操作されたことにより生じた音を左側マイク５６Ｌにより集音するようにした。そして、携帯型音楽再生装置３０は、その結果得られた音声信号を、左側マイクアンプ６１Ｌを介して、左側コンパレータ６７Ｌに送出するようにした。
【０１６８】
右側コンパレータ６７Ｒは、右側マイクアンプ６１Ｒから送出された音声信号を右側パルス信号ＳＰＲに変換し、その右側パルス信号ＳＰＲをコマンド変換部６８に送出するようにした。同様に、左側コンパレータ６７Ｌは、左側マイクアンプ６１Ｌから送出された音声信号を左側パルス信号ＳＰＬに変換し、その左側パルス信号ＳＰＬをコマンド変換部６８に送出するようにした。
【０１６９】
コマンド変換部６８は、右側パルス信号ＳＰＲに発生するパルスを検出し、パルスの発生回数を計測するようにした。そしてコマンド変換部６８は、右側パルス信号ＳＰＲにパルスが発生してから所定期間である非検出期間ＮＴ内に発生したパルスを検出しないようにした。すなわちコマンド変換部６８は、右側パルス信号ＳＰＲにパルスが発生してから所定期間内に発生したパルスについては、パルスの発生回数の計測対象から除外するようにした。
【０１７０】
これにより、コマンド変換部６８は、右側パルス信号ＳＰＲに基づいて、右側筐体５３Ｒが叩打操作された回数、すなわち右側マイク５６Ｒを介して行われたユーザ操作の回数に応じたパルスの発生回数を計測することができる。
【０１７１】
また同様に、コマンド変換部６８は、左側パルス信号ＳＰＬに発生するパルスを検出し、パルスの発生回数を計測するようにした。そしてコマンド変換部６８は、左側パルス信号ＳＰＬにパルスが発生してから所定期間である非検出期間ＮＴ内に発生したパルスを検出しないようにした。すなわちコマンド変換部６８は、左側パルス信号ＳＰＬにパルスが発生してから所定期間内に発生したパルスについては、パルスの発生回数の計測対象から除外するようにした。
【０１７２】
これにより、コマンド変換部６８は、左側パルス信号ＳＰＬに基づいて、左側筐体５３Ｌが叩打操作された回数、すなわち左側マイク５６Ｌを介して行われたユーザ操作の回数に応じたパルスの発生回数を計測することができる。
【０１７３】
因みにコマンド変換部６８は、非検出期間ＮＴよりも長い所定期間であるカウント期間ＣＴ内に右側パルス信号ＳＰＲ及び左側パルス信号ＳＰＬからパルスの発生回数を計測するようにした。
【０１７４】
そして、コマンド変換部６８は、右側パルス信号ＳＰＲ及び左側パルス信号ＳＰＬから計測したパルスの発生回数に基づいてユーザ操作をコマンドに変換し、制御部６０に送出するようにした。
【０１７５】
そして、制御部６０は、コマンド変換部６８から送出されたコマンドに従って、各部を制御し、各種処理を実行させるようした。例えば、制御部６０は、コマンド変換部６８から送出されたコマンドに従って、音楽データを再生する再生部６５を制御し、再生部６５に音楽の再生開始、再生停止、曲送り、曲戻しなどの各種処理を実行させるようにした。
【０１７６】
このように携帯型音楽再生装置３０は、右側マイク５６Ｒ及び左側マイク５６Ｌを介して行われたユーザ操作の回数に応じたパルスの発生回数を計測することができ、この回数に応じて制御を行うことができる。
【０１７７】
したがって、携帯型音楽再生装置３０は、右側マイク５６Ｒ又は左側マイク５６Ｌを介して行われたユーザ操作により生じる音に応じて制御を行う際に、ユーザの所望する命令に応じて正確に制御を行うことができる。
【０１７８】
さらに、携帯型音楽再生装置３０において、ノイズキャンセル用マイクである右側マイク５６Ｒ及び左側マイク５６Ｌが、ユーザ操作により生じた音を集音するマイクを兼ねるようにした。
【０１７９】
これにより、携帯型音楽再生装置３０は、ヘッドホン３２の内部構成を、従来のノイズキャンセル機能付きヘッドホンの内部構成から変更しなくても、上述した機能及び効果を実現することができる。
【０１８０】
また、これにより、携帯型音楽再生装置３０のヘッドホン３２は、従来のノイズキャンセル機能付きヘッドホンと比較して、その形状を変更する必要がないため、ユーザに従来のヘッドホンの使用感と変わらずに使用させることができる。
【０１８１】
さらに、コマンド変換部６８は、右側筐体５３Ｒ及び左側筐体５３Ｌが１回ずつ叩打操作されたと判別すると、オンモードとオフモードとの切り替えを行うモード切替えコマンドに変換するようにした。すなわち、コマンド変換部６８は、右側マイク５６Ｒを介して行われたユーザ操作の回数と左側マイク５６Ｌを介して行われたユーザ操作の回数との組み合わせに応じてユーザ操作をコマンドに変換し、制御部６０は、当該コマンドに基づいて制御を行うようにした。
【０１８２】
これにより、右側マイク５６Ｒを介して行われたユーザ操作の回数のみ、又は左側マイク５６Ｌを介して行われたユーザ操作の回数のみに応じてコマンドを変換するようにした場合と比べ、多種類のコマンドに応じて制御を行うことができる。
【０１８３】
さらに、コマンド変換部６８は、右側筐体５３Ｒ及び左側筐体５３Ｌが１回ずつ叩打操作されたと判別すると、再生コマンドを入力しないオフモードから再生コマンドを入力するオンモードに切り替わるようにした。すなわち、コマンド変換部６８は、判別したユーザ操作の回数が予め設定された所定の回数である場合に、再生コマンドを入力しないオフモードから再生コマンドを入力するオンモードに切り替わるようにした。
【０１８４】
これにより、ユーザが意図せずに、携帯型音楽再生装置３０に再生コマンドが入力され、それに基づいて制御が行われることを防止することができる。
【０１８５】
以上の構成によれば、携帯型音楽再生装置３０は、右側マイク５６Ｒ及び左側マイク５６Ｌにより集音された音声信号をパルス信号に変換し、当該パルス信号に基づいてパルスの発生回数を計測するようにした。そして、携帯型音楽再生装置３０は、当該パルス信号において一のパルスが発生してから所定期間である非検出期間ＮＴ内に発生したパルスは、当該発生回数の計測対象から除外されるようにした。そして、携帯型音楽再生装置３０は、当該パルス信号から計測したパルスの発生回数に基づいて所定の制御を行うようにした。
【０１８６】
これにより携帯型音楽再生装置３０は、右側マイク５６Ｒ又は左側マイク５６Ｌを介してユーザ操作が行われた際に、集音された音声信号が変換されたパルス信号に基づいて、ユーザ操作の回数に応じたパルスの発生回数を計測することができ、この回数に応じて制御を行うことができる。かくして、携帯型音楽再生装置３０は、右側マイク５６Ｒ又は左側マイク５６Ｌを介して行われたユーザ操作により生じる音に応じて制御を行う際に、ユーザの所望する命令に応じて正確に制御を行うことができる。
【０１８７】
＜２．他の実施の形態＞
［２−１．他の実施の形態１］
尚、上述した実施の形態では、携帯型音楽再生装置３０は、ユーザの右側マイク５６Ｒ及び左側マイク５６Ｌへの叩打操作を、その叩打回数に応じて種々のコマンドに変換するようにした。
【０１８８】
これに限らず、携帯型音楽再生装置３０は、ユーザの叩打操作を、その叩打操作の強弱と叩打回数との組み合わせに応じて種々のコマンドに変換するようにしてもよい。
【０１８９】
具体的に、右側筐体５３Ｒ及び左側筐体５３Ｌへの叩打操作の強弱を判別する処理について説明する。例えば、ユーザにより、カウント期間ＣＴ内で、右側筐体５３Ｒが１回目には強く叩打操作され、２回目には弱く叩打操作されたとする。このとき、右側筐体５３Ｒへの叩打操作により生じた音が右側マイク５６Ｒにより集音され、その結果得られた右側音声信号ＳＴＲ１が右側マイクアンプ６１Ｒを介して右側増幅音声信号ＳＴＲ２として、右側コンパレータ６７Ｒに送出される。
【０１９０】
図１０に、このとき得られる右側増幅音声信号ＳＴＲ２の波形の一例を示す。図１０に示すように、叩打操作の１回目は、右側筐体５３Ｒが強く叩打操作されたため、その叩打操作により生じる音も大きく、右側増幅音声信号ＳＴＲ２では、比較的振幅の大きい振動が発生する。一方、叩打操作の２回目は、右側筐体５３Ｒが弱く叩打操作されたため、その叩打操作により生じる音も小さく、右側増幅音声信号ＳＴＲ２では、比較的振幅の小さい振動が発生する。
【０１９１】
そして、右側増幅音声信号ＳＴＲ２は、右側コンパレータ６７Ｒにより所定の信号レベルの閾値においてパルスに変換され、右側パルス信号ＳＰＲが生成される。
【０１９２】
図１１に、このとき右側増幅音声信号ＳＴＲ２に基づいて得られる右側パルス信号ＳＰＲの波形の一例を示す。叩打操作の１回目には、右側増幅音声信号ＳＴＲ２において振幅の大きい振動が発生していたため、右側パルス信号ＳＰＲでは、パルス幅の広いパルスが発生している。一方、叩打操作の２回目には、右側増幅音声信号ＳＴＲ２において振幅の小さい振動が発生していたため、右側パルス信号ＳＰＲでは、パルス幅の狭いパルスが発生している。
【０１９３】
したがって、コマンド変換部６８は、右側筐体５３Ｒが強く叩打操作されるとパルス幅の広いパルスを検出し、右側筐体５３Ｒが弱く叩打操作されるとパルス幅の狭いパルスを検出することとなる。
【０１９４】
ゆえに、コマンド変換部６８が右側パルス信号ＳＰＲからパルスを検出した際に、そのパルス幅を合わせて検出することにより、右側筐体５３Ｒへの叩打操作の強弱を判別することができる。
【０１９５】
左側筐体５３Ｌへの叩打操作の場合も同様に、コマンド変換部６８が左側パルス信号ＳＰＲからパルスを検出した際に、そのパルス幅を合わせて検出することにより、左側筐体５３Ｌへの叩打操作の強弱を判別することができる。
【０１９６】
次に、ユーザの叩打操作を、その叩打回数と叩打操作の強弱との組み合わせに応じてコマンドに変換する処理について、具体的に説明する。コマンド変換部６８は、右側パルス信号ＳＰＲ又は左側パルス信号ＳＰＬからパルスを検出した際に、パルス検出回数をカウントすると共にそのパルス幅を検出する。
【０１９７】
そして、コマンド変換部６８は、パルス検出回数を叩打回数として判別すると共に、検出したパルス幅を、例えば、所定の閾値に基づいて「強い」と「弱い」に振り分けることで、叩打操作の強弱を判別する。叩打操作の強弱は、叩打操作１回ごとに判別するようにしてもよいし、連続した叩打操作の場合には全体としてその叩打操作の強弱を判別するようにしてもよい。例えば、連続した叩打操作により検出された複数のパルスのパルス幅の平均から叩打操作の強弱を判別してもよい。
【０１９８】
そして、コマンド変換部６８は、オンモードのとき、叩打回数と叩打操作の強弱との組み合わせに応じて、例えば、図１２に示す再生コマンド対応表に従って、ユーザの叩打操作を再生コマンドに変換する。
【０１９９】
図１２に示すように、コマンド変換部６８は、オンモードのとき、右側叩打回数が１回の場合には、叩打の強弱に係らず、ユーザの叩打操作を「再生開始／再生停止」の再生コマンドに変換する。また、右側叩打回数が２回の場合、ユーザの叩打操作を、叩打操作が強い場合は「アルバム送り」の再生コマンドに変換し、叩打操作が弱い場合は「曲送り」という再生コマンドに変換する。また、このとき、右側叩打回数が３回の場合、叩打が強い場合は「アルバム戻し」の再生コマンドに変換し、叩打が弱い場合は「曲戻し」の再生コマンドに変換する。
【０２００】
「アルバム送り」の再生コマンドは、音楽の再生が行われている場合、再生しているアルバムの次のアルバムの再生を行うための再生コマンドである。また、「アルバム戻し」の再生コマンドは、音楽の再生が行われている場合、再生しているアルバムの前のアルバムの再生を行うための再生コマンドである。
【０２０１】
また、コマンド変換部６８は、オンモードのとき、左側叩打回数が１回の場合、ユーザの叩打操作を、叩打操作が強い場合には「音量＋２」の再生コマンドに変換し、叩打操作が弱い場合には「音量＋１」の再生コマンドに変換する。また、左側叩打回数が２回の場合、ユーザの叩打操作を、叩打操作が強い場合には「音量−２」の再生コマンドに変換し、叩打操作が弱い場合には「音量−１」の再生コマンドに変換する。
【０２０２】
「音量＋２」の再生コマンドは、現在設定されている音量の値を＋２の値に設定するための再生コマンドである。同様に、「音量＋１」、「音量−２」、「音量−１」の再生コマンドは、現在設定されている音量の値をそれぞれ＋１、−２、−１の値に設定するための再生コマンドである。
【０２０３】
このように、叩打回数と叩打操作の強弱との組み合わせに応じてユーザの叩打操作をコマンドに変換することにより、叩打回数のみに応じてユーザの叩打操作をコマンドに変換する場合と比べ、ユーザの叩打操作を多種類のコマンドに変換できる。従って制御部６０は、このような多種類のコマンドに応じて制御を行うことができる。
【０２０４】
また、ここでは、叩打操作が強い場合は、曲送り及び曲戻しの幅や音量の増減の幅が大きい再生コマンドに変換し、叩打操作が弱い場合は、曲送り及び曲戻しの幅や音量の増減の幅が小さい再生コマンドに変換するようにした。
【０２０５】
こうすることにより、ユーザの叩打操作とそれに応じて変換されるコマンドとの関係をユーザにとってわかりやすくすることができる。
【０２０６】
また、コマンド変換部６８は、図１２に示す再生コマンド対応表に限らず、様々な叩打回数と叩打操作の強弱との組み合わせに応じて、ユーザの叩打操作を種々のコマンドに変換させるようにしてもよい。
【０２０７】
［２−２．他の実施の形態２］
また、上述した実施の形態では、ユーザ操作として、ユーザが右側筐体５３Ｒ又は左側筐体５３Ｌが叩打することにより、携帯型音楽再生装置３０にコマンドを入力するようにした。
【０２０８】
これに限らず、ユーザが右側筐体５３Ｒ又は左側筐体５３Ｌを擦ることにより、携帯型音楽再生装置３０にコマンドを入力するようにしてもよい。
【０２０９】
この場合、ユーザに右側筐体５３Ｒ又は左側筐体５３Ｌが叩打された場合と同様に、右側マイク５６Ｒ又は左側マイク５６Ｌが、ユーザに右側筐体５３Ｒ又は左側筐体５３Ｌを擦られたことにより生じた音を集音する。
【０２１０】
そして、集音された音を右側コンパレータ６７Ｒ又は左側コンパレータ６７Ｌがパルス信号に変換し、コマンド変換部６８が、当該パルス信号からパルスを検出する。このとき、コマンド変換部６８は、当該パルス信号からパルスを検出した後に非検出期間ＮＴを設け、非検出期間ＮＴの間は当該パルス信号からパルスを検出しないようにする。
【０２１１】
そして、コマンド変換部６８は、当該パルス信号からパルスを検出した回数を、右側筐体５３Ｒ又は左側筐体５３Ｌが擦られた回数と判別し、当該回数に応じて、当該ユーザ操作をコマンドに変換する。
【０２１２】
こうすることにより、ユーザに右側筐体５３Ｒ又は左側筐体５３Ｌを擦られた場合も、上述したような右側筐体５３Ｒ又は左側筐体５３Ｌが叩打された場合と同様の効果を奏し得る。
【０２１３】
またこれに限らず、ユーザ操作により生じる音を集音して得られる音声信号がパルスとして検出できるようなユーザ操作であれば、この他種々のユーザ操作によりコマンドを入力するようにしてもよい。
【０２１４】
［２−３．他の実施の形態３］
さらに、上述した実施の形態では、コマンド変換部６８は、コマンド対応表（図７）に従って、ユーザの叩打操作をコマンドに変換するようにした。これに限らず、ユーザの叩打操作を種々の叩打回数に応じて、種々のコマンドに変換するようにしてもよい。
【０２１５】
例えば、コマンド変換部６８は、ユーザに右側筐体５３Ｒ及び左側筐体５３Ｌを１回ずつ叩打された際、ノイズキャンセル機能のオンオフを切り替えるコマンドに変換するようにしてもよい。
【０２１６】
またこれに限らず、ユーザの叩打操作をノイズキャンセル機能のオンオフを切替えるコマンドに変換すると共に、さらに、ユーザの叩打操作を「オンモード／オフモードの切替え」というコマンドにも変換するようにしてもよい。
【０２１７】
このとき、例えば、携帯型音楽再生装置３０は、これらのコマンドに従って、オンモードに切り替わるとき同時にノイズキャンセル機能がオンになり、オフモードに切り替わるとき同時にノイズキャンセル機能がオフになるようにする。
【０２１８】
またこれに限らず、ユーザの叩打操作を「オンモード／オフモードの切替え」というコマンドにも変換すると共に、装置本体３１の操作部４２のホールド機能のオンオフを切り替えるコマンドに変換するようにしてもよい。操作部４２のホールド機能とは、オンの場合、操作部４２が操作されてもコマンドを入力しないようにする機能のことである。
【０２１９】
このとき、例えば、携帯型音楽再生装置３０は、コマンドに従って、オンモードに切り替わるとき同時にホールド機能がオンになり、オフモードに切り替わるとき同時にホールド機能がオフになるようにする。こうすることで、携帯型音楽再生装置３０は、ユーザに、オンモードのときは、右側筐体５３Ｒ及び左側筐体５３Ｌを叩打操作させることによりコマンド入力ができ、オフモードのときは、操作部４２を操作させることによりコマンド入力ができる。
【０２２０】
［２−４．他の実施の形態４］
さらに、上述した実施の形態では、コマンド変換部６８が右側パルス信号ＳＰＲ又は左側パルス信号ＳＰＬからパルスを検出した際に設ける非検出期間ＮＴの長さを２００［ｍｓ］とした。
【０２２１】
これに限らず、連続した叩打操作の際、１回目の叩打操作により発生する先頭のパルス以外のパルスは検出されないが、２回目の叩打操作により発生する先頭のパルスは検出されるような長さであれば、様々な長さに設定するようにしてもよい。例えば、非検出期間ＮＴの長さを１００［ｍｓ］〜３００［ｍｓ］程度に設定するようにしてもよい。
【０２２２】
［２−５．他の実施の形態５］
さらに、上述した実施の形態では、コマンド変換部６８は、連続して設けられているカウント期間ＣＴごとに、カウント期間ＣＴ内にパルスを検出した回数を、ユーザの叩打操作の回数であると判別するようにした。
【０２２３】
これに限らず、コマンド変換部６８は、カウント期間ＣＴを設けず、パルスを検出した後の非検出期間ＮＴの後、所定期間内にパルスを検出したら連続して叩打操作されたと判別することにより、ユーザの叩打操作の回数を判別するようにしてもよい。
【０２２４】
［２−６．他の実施の形態６］
さらに、上述した実施の形態では、コマンド変換部６８がユーザの叩打操作をコマンドに変換し、制御部６０がそのコマンドに従って各種処理を実行する際に、そのコマンドの実行に関して、特にユーザに通知を行わなかった。
【０２２５】
これに限らず、コマンド変換部６８がユーザの叩打操作をコマンドに変換し、制御部６０がそのコマンドに従って各種処理を実行する際に、そのコマンドの実行を、例えば音声などでユーザに通知するようにしてもよい。
【０２２６】
またこれに限らず、制御部６０が、現在、オンモード又はオフモードであるかを表示部４１に表示させておき、ユーザの叩打操作に応じてオンモードとオフモードとが切り替えられた際に、それに応じて表示部４１の表示を切替えるようにしてもよい。
【０２２７】
［２−７．他の実施の形態７］
さらに、上述した実施の形態では、コマンド変換部６８は、右側パルス信号ＳＰＲ又は左側パルス信号ＳＰＬからパルスを検出した際、当該パルスの立ち下がり時点から非検出期間ＮＴを開始するようにした。
【０２２８】
これに限らず、コマンド変換部６８は、１回の叩打操作により発生するパルスのうち先頭のパルス以外のパルスが検出されない時点であれば、この他種々の時点から非検出期間ＮＴを開始するようにしてもよい。例えば、当該パルスの立ち上がり時点から非検出期間ＮＴを開始するようにしてもよい。
【０２２９】
［２−８．他の実施の形態８］
さらに、上述した実施の形態では、コマンド変換部６８は、右側パルス信号ＳＰＲ又は左側パルス信号ＳＰＬからパルスを検出した際、非検出期間ＮＴを開始し、非検出期間ＮＴ内においてはパルスを検出しないようにした。
【０２３０】
これに限らず、コマンド変換部６８は、非検出期間ＮＴ内においても右側パルス信号ＳＰＲ又は左側パルス信号ＳＰＬからパルスを検出し、非検出期間ＮＴ内で検出したパルスを、パルスの発生回数の計測対象から除外するようにしてもよい。
【０２３１】
［２−９．他の実施の形態９］
さらに、上述した実施の形態及び他の実施の形態１乃至８では、制御装置１としての携帯型音楽再生装置３０に、変換部１１としての右側コンパレータ６７Ｒ及び左側コンパレータ６７Ｌを設けるようにした。また、この携帯型音楽再生装置３０に、計測部１２、計測制御部１３、制御部１４としてのコマンド変換部６８と、制御部１４としての制御部６０とを設けるようにした。
【０２３２】
さらに、この携帯型音楽再生装置３０に、再生部１６としての再生部６５、生成部１７としての右側フィルタ回路６２Ｒ及び左側フィルタ回路６２Ｌを設けるようにした。さらに、この携帯型音楽再生装置３０に、ドライバ１８としての右側ドライバユニット５４Ｒ及び左側ドライバユニット５４Ｌ、ヘッドホン１９としてのヘッドホン３２を設けるようにした。さらに、この携帯型音楽再生装置３０に、マイク１５としての右側マイク５６Ｒ及び左側マイク５６Ｌを設けるようにした。
【０２３３】
本発明はこれに限らず、同様の機能を有するのであれば、上述した携帯型音楽再生装置３０の各部を、他の種々のハードウェアもしくはソフトウェアにより構成するようにしてもよい。
【０２３４】
また、本発明は、マイクから音声信号が入力され、その音声信号に応じて制御を行う制御装置であれば、携帯型音楽再生装置３０に限らず、例えばＩＣレコーダ、携帯電話機など、この他種々の制御装置に適用することもできる。
【０２３５】
［２−１０．他の実施の形態１０］
さらに、本発明は、上述した実施の形態と他の実施の形態１乃至９とに限定されるものではない。すなわち本発明は、上述した実施の形態と他の実施の形態１乃至９の一部または全部を任意に組み合わせた形態、もしくは一部を抽出した形態にもその適用範囲が及ぶものである。
【０２３６】
例えば、他の実施の形態１と他の実施の形態６とを組み合わせてもよい。この場合、携帯型音楽再生装置３０は、実行するコマンドをユーザに通知することにより、コマンドの種類が多いためにユーザがコマンドを忘れてしまっても、ユーザがコマンドを確認することができる。
【産業上の利用可能性】
【０２３７】
本発明は、例えば、ノイズキャンセル機能を有する携帯型のオーディオプレイヤで広く有効利用することができる。
【符号の説明】
【０２３８】
１……制御装置、１１……変換部、１２……計測部、１３……計測制御部、１４……制御部、１５……マイク、１６……再生部、１７……生成部、１８……ドライバ、１９、３２……ヘッドホン、３０……携帯型音楽再生装置、５３Ｒ……右側筐体、５３Ｌ……左側筐体、５４Ｒ……右側ドライバユニット、５４Ｌ……左側ドライバユニット、５６Ｒ……右側マイク、５６Ｌ……左側マイク、６２Ｒ……右側フィルタ回路、６２Ｌ……左側フィルタ回路、６７Ｒ……右側コンパレータ、６７Ｌ……左側コンパレータ、６８……コマンド変換部、ＣＴ……カウント期間、ＮＴ……非検出期間。
【図１】
2010187218.tif 000003
【図２】
2010187218.tif 000004
【図３】
2010187218.tif 000005
【図４】
2010187218.tif 000006
【図５】
2010187218.tif 000007
【図６】
2010187218.tif 000008
【図７】
2010187218.tif 000009
【図８】
2010187218.tif 000010
【図９】
2010187218.tif 000011
【図１０】
2010187218.tif 000012
【図１１】
2010187218.tif 000013
【図１２】
2010187218.tif 000014